(57)【要約】【課題】  ネジ止めなどの面倒な作業の必要がなく、ワンタッチで誰でも簡単かつ安定的にパッドアームを取り付けることができる眼鏡の弾着式パッドアーム取付機構を提供すること。【解決手段】  ブリッジ２の接眼側には、弾性線材を湾曲または折曲して両先端部41・41を対向せしめて成るフック線材４を固着する一方、パッドアーム３は股座部３ａから持出アーム３ｂ・３ｂを二股状に延成して成り、かつ、前記両持出アーム３ｂの各先端にはノーズパッド31をれぞれ保持するとともに、股座部３ａのブリッジ対向面部にはガイドスリット32を開設し、側面にはそれぞれ止着孔33・33を成形し、前記フック線材４は弾性拡開可能であって、少なくとも本体部42を前記ガイドスリット32内に沿って嵌着するとともに、当該フック線材４の両先端部41・41を、前記パッドアーム３の止着孔33・33のそれぞれに挿嵌させる。【選択図】  図１
2008051843.tif 000002
【特許請求の範囲】
【請求項１】
左右一対のレンズ１・１がブリッジ２によって連結されて構成されるフロント枠Ｆを有する眼鏡において、パッドアーム３を取り付けるための機構であって、
前記ブリッジ２の接眼側には、弾性線材を湾曲または折曲して両先端部41・41を対向せしめて成るフック線材４が固着されている一方、
前記パッドアーム３は股座部３ａから持出アーム３ｂ・３ｂが二股状に延成されて成り、かつ、前記両持出アーム３ｂの各先端にはノーズパッド31がそれぞれ保持されているとともに、股座部３ａのブリッジ対向面部にはガイドスリット32が開設され、側面にはそれぞれ止着孔33・33が成形されており、
前記フック線材４は弾性拡開可能であって、少なくとも本体部42が前記ガイドスリット32内に沿って嵌着するとともに、当該フック線材４の両先端部41・41は、前記パッドアーム３の止着孔33・33のそれぞれに挿嵌することによって、当該パッドアーム３を弾性挟持して前記ブリッジ２に取付可能であることを特徴とする眼鏡の弾着式ノーズパッドアーム取付機構。
【請求項２】
パッドアーム３のガイドスリット32の奥行き深さが、フック線材４の断面よりも大きく形成されており、パッドアーム３のブリッジ対向面部とブリッジ２の接眼側面とが当接可能であることを特徴とする請求項１記載の眼鏡の弾着式ノーズパッドアーム取付機構。
【請求項３】
パッドアーム３のガイドスリット32が略外周全周に亙り形成され、かつ、このガイドスリット32の端部の各々には止着孔33・33が成形されており、フック線材４の全体が嵌着可能であることを特徴とする請求項１または２記載の眼鏡の弾着式ノーズパッドアーム取付機構。
【請求項４】
パッドアーム３および／またはフック線材４がβ−チタンで作製されていることを特徴とする請求項１〜３の何れか一つに記載の眼鏡の弾着式ノーズパッドアーム取付機構。
【発明の詳細な説明】
【技術分野】
【０００１】
本発明は、眼鏡構造の改良、更に詳しくは、ネジ止めなどの面倒な作業の必要がなく、ワンタッチで誰でも簡単かつ安定的にパッドアームを取り付けることができる眼鏡の弾着式パッドアーム取付機構に関するものである。
【背景技術】
【０００２】
周知のとおり、眼鏡は多くの部品から組み立てられており、眼鏡フロント枠における略中央部両側には左右一対のパッドアームが配設されており、先端にはノーズパッドが保持されている。
【０００３】
ところで、このパッドアームはブリッジやリムに固定されていることが多く、従来、その固定手段にはネジ止めなどが採用されていたが（例えば、特許文献１参照）、微小な部品を取り扱うため、技巧と熟練が必要で時間と手間がかかってしまうとともに、誤って止着部品を紛失してしまうおそれもあるという不満があった。
【０００４】
また、パッドアームの先端に保持されたノーズパッドが鼻の上部に当接することから、グラついたりするとフロント枠を確実に支持することができず、着用が不安定になってしまうという不満があった。
【特許文献１】特開２００２−１０７６７５号公報（第２−４頁、図６）
【発明の開示】
【発明が解決しようとする課題】
【０００５】
本発明は、従来の眼鏡構造に上記のような問題があったことに鑑みて為されたものであり、その目的とするところは、ネジ止めなどの面倒な作業の必要がなく、ワンタッチで誰でも簡単かつ安定的にパッドアームを取り付けることができる眼鏡の弾着式パッドアーム取付機構を提供することにある。
【課題を解決するための手段】
【０００６】
本発明者が上記課題を解決するために採用した手段を添付図面を参照して説明すれば次のとおりである。
【０００７】
即ち、本発明は、左右一対のレンズ１・１がブリッジ２によって連結されて構成されるフロント枠Ｆを有する眼鏡において、パッドアーム３を取り付けるための機構であって、
前記ブリッジ２の接眼側には、弾性線材を湾曲または折曲して両先端部41・41を対向せしめて成るフック線材４を固着する一方、
前記パッドアーム３は股座部３ａから持出アーム３ｂ・３ｂを二股状に延成して成り、かつ、前記両持出アーム３ｂの各先端にはノーズパッド31をれぞれ保持するとともに、股座部３ａのブリッジ対向面部にはガイドスリット32を開設し、側面にはそれぞれ止着孔33・33を成形し、
前記フック線材４は弾性拡開可能であって、少なくとも本体部42を前記ガイドスリット32内に沿って嵌着するとともに、当該フック線材４の両先端部41・41を、前記パッドアーム３の止着孔33・33のそれぞれに挿嵌させることによって、当該パッドアーム３を弾性挟持して前記ブリッジ２に取付可能にするという技術的手段を採用した。
【０００８】
また、本発明は、上記課題を解決するために、必要に応じて上記手段に加え、パッドアーム３のガイドスリット32の奥行き深さを、フック線材４の断面よりも大きく形成して、パッドアーム３のブリッジ対向面部とブリッジ２の接眼側面とを当接可能にするという技術的手段を採用した。
【０００９】
更にまた、本発明は、上記課題を解決するために、必要に応じて上記手段に加え、パッドアーム３のガイドスリット32を略外周全周に亙り形成し、かつ、このガイドスリット32の端部の各々には止着孔33・33を成形して、フック線材４の全体を嵌着可能にするという技術的手段を採用した。
【００１０】
更にまた、本発明は、上記課題を解決するために、必要に応じて上記手段に加え、パッドアーム３および／またはフック線材４をβ−チタンで作製するという技術的手段を採用した。
【発明の効果】
【００１１】
本発明にあっては、ブリッジの接眼側には、弾性線材を湾曲または折曲して両先端部を対向せしめて成るフック線材を固着する一方、パッドアームは股座部から持出アームを二股状に延成して成り、かつ、前記両持出アームの各先端にはノーズパッドがそれぞれ保持されているとともに、股座部のブリッジ対向面部にはガイドスリットを開設し、側面にはそれぞれ止着孔を成形し、前記フック線材は弾性拡開可能であって、少なくとも本体部を前記ガイドスリット内に沿って嵌着するとともに、当該フック線材の両先端部を、前記パッドアームの止着孔のそれぞれに挿嵌させることによって、当該パッドアームを弾性挟持してブリッジに取り付けることができる。
【００１２】
したがって、ネジ止めなどの面倒な作業の必要がなく、ワンタッチで誰でも簡単かつ安定的にパッドアームを取り付けることができることから、実用的利用価値は頗る高いものがある。
【発明を実施するための最良の形態】
【００１３】
本発明を実施するための最良の形態を具体的に図示した図面に基づいて更に詳細に説明すると、次のとおりである。
【００１４】
本発明の実施形態を図１から図７に基づいて説明する。図中、符号１で指示するものはレンズであり、符号２で指示するものはこれらレンズ１・１を連結するブリッジである。
【００１５】
また、符号３で指示するものはパッドアームであり、このパッドアーム３は股座部３ａから持出アーム３ｂ・３ｂを二股状に延成して成り、かつ、前記両持出アーム３ｂの各先端にはノーズパッド31がそれぞれ保持されている。本実施形態では、このパッドアーム３本体をβ−チタンで作製するとともに、ノーズパッド31には滑り難いシリコン材料を採用することができる。
【００１６】
更にまた、符号４で指示するものはフック線材であり、このフック線材４は弾性材料から成る線材を湾曲または折曲加工して両先端部41・41を対向せしめて作製したものであって、本実施形態では、使用材料として弾性金属を採用し、好ましくは、超弾性合金であるβ−チタンを採用するとともに、略楕円弧状の如く湾曲加工する。
【００１７】
しかして、本発明の弾着式パッドアーム取付機構は、図１に示すように、左右一対のレンズ１・１がブリッジ２によって連結されて構成されるフロント枠Ｆを有する眼鏡において、パッドアーム３を取り付けるための機構であって、構成するにあっては、まず、前記ブリッジ２の接眼側に、フック線材４を固着する。本実施形態では、ロウ付けによってこれら両部材を確実に固着する。
【００１８】
次いで、パッドアーム３を股座部３ａから持出アーム３ｂ・３ｂを二股状に延成して成形し、かつ、前記両持出アーム３ｂの各先端にはノーズパッド31をそれぞれ保持する。そして、股座部３ａのブリッジ対向面部にはガイドスリット32を開設するとともに、側面にはそれぞれ止着孔33・33を成形する。
【００１９】
本実施形態では、パッドアーム３のガイドスリット32を略外周全周に亙り開設して、かつ、このガイドスリット32の端部の各々にはそれぞれ止着孔33・33を成形することができる（図２参照）。
【００２０】
そして、前記フック線材４は弾性を具備しているので、その開口部分を両側に拡開可能であって、少なくとも本体部42を前記ガイドスリット32内に沿って嵌着させることができる（図３および図４参照）。
【００２１】
このようにして、当該フック線材４の両先端部41・41を、前記パッドアーム３の止着孔33・33のそれぞれに挿嵌することによって、当該パッドアーム３を弾性挟持して取付可能である。
【００２２】
なお、本実施形態では、パッドアーム３のガイドスリット32の奥行き深さを、フック線材４の断面よりも大きく成形して、パッドアーム３のブリッジ対向面部とブリッジ２に接眼側面とを当接させることができ、こうすることにより、これら両部材の接触面を密着させることができるので、より確実に固着することができる（図５参照）。
【００２３】
本発明は概ね上記のように構成されるが、図示の実施形態に限定されるものでは決してなく、「特許請求の範囲」の記載内において種々の変更が可能であって、例えば、図６に示すように、フック線材４の形状は湾曲形状に限らず、略直角に折曲した形状であっても良く、パッドアーム３のガイドスリット32の形状は、これに対応するものであれば良い。
【００２４】
また、パッドアーム３のガイドスリット32は、フック線材４を嵌着できるのであれば、図７に示すように、ブリッジ対向面部にのみ成形することができる。更にまた、図８に示すように、パッドアーム３のガイドスリット32を略外周全周に亙り開設して、フック線材４の躯体全体を嵌着することもでき、これら何れのものも本発明の技術的範囲に属する。
【図面の簡単な説明】
【００２５】
【図１】本発明の実施形態の眼鏡を表わす全体斜視図である。
【図２】本発明の実施形態の取付機構を表す部分斜視図である。
【図３】本発明の実施形態の取付機構を表す部分上面図である。
【図４】本発明の実施形態の取付機構を表す部分上面図である。
【図５】本発明の実施形態の取付機構の変形例を表す説明断面図である。
【図６】本発明の実施形態の取付機構の変形例を表す部分上面図である。
【図７】本発明の実施形態のパッドアームの変形例を表す斜視図である。
【図８】本発明の実施形態のパッドアームの変形例を表す上面図である。
【符号の説明】
【００２６】
１    レンズ
２    ブリッジ
３    パッドアーム
31    ノーズパッド
32    ガイドスリット
33    止着孔
４    フック線材
41    先端部
42    本体部
Ｆ    フロント枠
【図１】
2008051843.tif 000003
【図２】
2008051843.tif 000004
【図３】
2008051843.tif 000005
【図４】
2008051843.tif 000006
【図５】
2008051843.tif 000007
【図６】
2008051843.tif 000008
【図７】
2008051843.tif 000009
【図８】
2008051843.tif 000010